(57)【要約】【課題】段ボール壁の長さや巾が変化するのを抑えて寸法精度を高め、かつ、火葬炉における焼却時に段ボール壁の燃焼速度を抑えて炉内で酸欠状態が起きるのを回避するようにした段ボール棺を提供する。【解決手段】段ボール棺１０は、強化段ボールの板材にＶ溝加工を施して展開シートを作製し、これを折り曲げて底壁１２Ａ、側壁１２Ｂ，１３Ｂ、妻壁１２Ｃ，１３Ｃおよび天井壁１３Ａを段ボール壁で形成する。段ボール棺１０の段ボール壁の内側または外側のうちいずれか一方のみの壁面には、段ボール壁の厚みを越えない範囲で厚さ２ｍｍ〜１５ｍｍ程度の木質材料からなる補助板１５が貼り合わされる。補助板１５は、段ボール壁の内側の壁面のみに設けられることが望ましく、また、底壁１２Ａ、側壁１２Ｂ，１３Ｂ、および天井壁１３Ａを形成する長手方向の段ボール壁のみに設けられることが望ましい。【選択図】図１
2010119797.tif 000002
【特許請求の範囲】
【請求項１】
強化段ボールの板材にＶ溝加工を施して展開シートを作製し、これを折り曲げて底壁、側壁、妻壁および天井壁を段ボール壁で形成するようにした段ボール棺であって、
この段ボール棺の段ボール壁の内側または外側のうちいずれか一方のみの壁面に、前記段ボール壁の厚みを越えない範囲で厚さ２ｍｍ〜１５ｍｍ程度の木質材料からなる補助板を貼り合わせることを特徴とする段ボール棺。
【請求項２】
請求項１記載の段ボール棺であって、前記補助板が前記段ボール壁の内側の壁面のみに貼り合わされる、段ボール棺。
【請求項３】
請求項１または２記載の段ボール棺であって、前記底壁、前記側壁および前記天井壁を形成する長手方向の段ボール壁のみに前記補助板を貼り合わせる、段ボール棺。
【発明の詳細な説明】
【技術分野】
【０００１】
本発明は、段ボール棺に関するもので、詳しくは、段ボール棺を形成する壁体の構造に関するものである。
【背景技術】
【０００２】
従来より、棺の壁体に強化段ボールを用いるようにした段ボール棺が知られている。この種の段ボール棺は、強化段ボールの板材にＶ溝加工を施して展開シートを作製し、この展開シートをＶ溝に沿って折り曲げることで棺を形成するようにしている。例えば図１２に示す段ボール棺１では、下箱２の底壁２Ａ、側壁２Ｂ，２Ｂおよび妻壁２Ｃ，２Ｃが一枚の展開シートで作製され、上蓋３の面取り傾斜を含む天井壁３Ａ、側壁３Ｂ，３Ｂおよび妻壁３Ｃ，３Ｃが一枚の展開シートで形成される。つまり、棺を形成する壁体は、図１３に示すように、展開シートの板材、すなわち二枚の強化厚紙のライナーＲｂ，Ｒｆと、これらの間の波板層ｒ１〜ｒ３とからなる強化段ボールのみで形成されることになる（図１３のＲ部分拡大図参照）。
【０００３】
なお、従来の強化段ボール製の棺に関する先行技術としては、特許文献１および２等が公知である。
【特許文献１】特開平７−３２５１９号公報
【特許文献２】特開２００８−２２９１６号公報
【発明の開示】
【発明が解決しようとする課題】
【０００４】
しかしながら、このような従来の段ボール棺は、強化段ボールの特性から、従来の木製棺では生じなかった特有の問題が生じることが判明してきた。
第１に、強化段ボールは、水分をその内部に吸収して膨張する性質があり、その日の天気や湿度の影響で、長さや巾が微妙に変化することがある。このため、展開シートの寸法を正確に設定しておいても、組み立て時に微妙にずれて接着面がはみ出たり、組み立て後に壁面が撓むことが起こる。特に、棺の底壁、側壁および天井壁は長尺の壁体になるため、このような影響を受けやすい。
【０００５】
第２に、火葬場で段ボール棺を焼却する際に、ライナーや波板の紙面が空気に触れやすい関係で段ボール壁が着火の直後から激しく燃えて炉内が一時的に酸欠状態に陥ることがある。このような酸欠状態は、不完全燃焼を引き起こし黒煙の原因にもなる。
【０００６】
本発明は、このような強化段ボールの壁体をもつ棺の特有の問題点を解消するためになされたもので、段ボール壁の長さや巾が変化するのを抑えて寸法精度を高め、かつ、火葬炉における焼却時に段ボール壁の燃焼速度を抑えて炉内で酸欠状態が起きるのを回避するようにした段ボール棺を提供することを目的としている。
【課題を解決するための手段】
【０００７】
［第１発明］
前記課題を解決するための本発明の段ボール棺は、
強化段ボールの板材にＶ溝加工を施して展開シートを作製し、これを折り曲げて底壁、側壁、妻壁および天井壁を段ボール壁で形成するようにした段ボール棺であって、
この段ボール棺の段ボール壁の内側または外側のうちいずれか一方のみの壁面に、前記段ボール壁の厚みを越えない範囲で厚さ２ｍｍ〜１５ｍｍ程度の木質材料からなる補助板を貼り合わせる構成とした。
【０００８】
このような構成によれば、段ボール棺の内側または外側の片面に補助板が貼り付けられるため、段ボール壁が水分を吸収しても、これに伴う長さや巾の変化が補助板によって抑えられる。この結果、展開シートの接着面のずれを解消することができ、また、展開シートの組み立て後に段ボール壁の撓みを防ぐこともできる。
【０００９】
さらに、このように段ボール壁の片側の壁面のみに補助板を貼り合わせることによって、火葬時の段ボール壁の燃焼速度を抑えることができる。すなわち、図１４に示すように、一般的な火葬炉Ｋでは、燃焼ガスを吹き込むバーナＶが棺の頭部側の妻壁に向けて配置される。炉内にセットされた段ボール棺１は、バーナＶの着火後直ぐに頭部側の妻壁２Ｃ，３Ｃが焼かれて穴が空き、この穴から段ボール棺１の内側に燃焼ガスが吹き込まれる。そして、この棺の内側に吹き込まれる燃焼ガスｆ１と、棺の外側に回り込む燃焼ガスｆ２によって棺全体が焼けていく。従来の段ボール棺１では、内側と外側に段ボール壁が露出するため、両壁面に一気に火がついて段ボール壁が数十秒で焼失する。この結果、炉内が一時的な酸欠状態を起こすものと考えられる。
なお、図１４において、符号Ｔ，Ｔは、炉内の床の上方に棺を浮かせて支持する棺受台（煉瓦、鉄サナ等）である。棺受台Ｔ，Ｔにより段ボール棺１の下側にも燃焼ガスが回り込む。
【００１０】
本発明の構成では、棺の段ボール壁の内側または外側のいずれか片面に補助板が貼られているため、燃焼ガスは、棺の内側か外側のいずれか一方から段ボール壁を焼いていき、反対側の段ボール壁面では燃焼ガスが補助板で遮られて直接当たらない。このため、段ボール壁が片方の壁面から内部層に向けて時間を掛けて焼かれ、従来のような炉内の一時的な酸欠状態を回避することが可能になる。
このような理由から本発明の構成では、棺の段ボール壁の内側または外側のうち一方の壁面に限定して補助板を貼り合わせるように限定した。
【００１１】
補助板を形成する木質材料は、強化段ボール材よりも燃えにくい材料であることが必要で、例えば合板（ベニヤ板）、集成木板、木質ボード（インシュレーションボード、パーチクルボード等）が挙げられる。特に、環境を配慮した間伐材による集成木板を使用すると、強化段ボールの特性と相俟ってエコロジー性能に優れた段ボール棺に仕上げることができる。
【００１２】
補助板の厚みを２ｍｍ以上としたのは、その厚みが小さすぎると、段ボール壁の長さや巾の変化を補助板で抑えることができず、また、火葬時に補助板が短時間で焼失して段ボール壁を燃焼ガスから隔離して燃焼時間を遅らせる効果が十分に得られないからである。本発明者らの試作実験によれば、三層強化段ボールの板材に補助板を貼り合わせたものを火葬炉で焼却した場合、補助板の厚みが２ｍｍ程度あれば三層強化段ボールの板材が焼失したときに補助板が未だその形を留めていることが確認された。強化段ボールには、その波板層が三層のもの（三層強化段ボール：厚み約１５ｍｍ）と二層のもの（二層強化段ボール：厚み約１０ｍｍ）があり、このうち燃焼時間の長い三層強化段ボールの燃焼時間を基準に補助板の厚さを定めたものである。
なお、特許文献１に開示されるように、従来技術では、段ボール壁の外観を木目調に見せるために、木材のシートを段ボール壁面に貼り合わせるものが存在しているが、このようなシートは０．１ｍｍ〜０．５ｍｍ程度であり、本発明の補助板には含まれない。本発明の補助板は、いわゆる“シート”ではない“ボード”を意味するものであり、特許文献１のような従来技術とは明確に区別される。
【００１３】
補助板の厚みを１５ｍｍ以下としたのは、その厚みが大きすぎると、補助板が焼失するまでの時間が長く掛かりすぎるからである。従来の木製棺の壁体は、薄型のもので２０ｍｍ程度の厚みがあり、このような木製棺よりも燃焼時間が短くなるように補助板の厚みを１５ｍｍ以下とした。なお、補助板の厚みは、段ボール壁の厚みを超えないように設定する。補助板の厚みが大きすぎると、軽量で燃焼性に優れる段ボール棺の利点が生かされないためである。
補助板の厚さ、貼り合わせ箇所等については、火葬炉の火力や広さに応じて調整する。この場合、補助板の焼失時間が段ボール壁の焼失時間よりも十分に長くなるように補助板の厚さや貼り合わせ箇所を選定することが必要である。
【００１４】
［第２発明］
第２発明の段ボール棺は、第１発明の構成を備えるものであって、前記補助板が前記段ボール壁の内側の壁面のみに貼り合わされる構成とした。
【００１５】
従来、強化段ボールの壁体をもつ棺を火葬炉で燃やす場合には、着火後直ぐに段ボール壁が激しく燃えて遺体の上に崩れ落ちることがある。このような段ボール壁の燃え崩れが遺体に触れると、遺体の燃焼の妨げになるおそれがある。
【００１６】
第２発明の構成によれば、段ボール壁の内側に補助板が貼り合わされるため、着火後直ぐに段ボール壁が燃えて崩れ落ちても、その時点では未だ形を留める補助板に支持されて棺の内側に落ちることがない。これにより、段ボール壁の燃え崩れが遺体に触れるのを防いで遺体の燃焼状態を木製棺に近づけ、骨上げ（拾骨）に支障になるのを回避することができる。
【００１７】
［第３発明］
第３発明の段ボール棺は、第１発明または第２発明の構成を備えるものであって、前記段ボール棺の妻壁に前記補助板を貼り合わせずに、前記底壁、前記側壁および前記天井壁を形成する長手方向の段ボール壁のみに前記補助板を貼り合わせる構成とした。
【００１８】
このような構成によれば、妻壁に補助板が貼り合わされないため、火葬炉で最初に頭部側の妻壁が焼けるまでの時間が短くなる。また、脚部側の妻壁についても、従来の棺ではバーナから最も遠い位置にあることから燃焼時間が最も長く掛かるが、妻壁の補助板を敢えて省略することで底壁、側壁および天井壁よりも速く燃焼させることができる。
この結果、炉内に酸欠状態を生じさせない最短の時間で効率よく段ボール棺を焼却することが可能になる。
【００１９】
［第１〜３発明］
第１〜３発明の段ボール棺は、展開シートを箱状に折り曲げて段ボール壁を形成する段ボール棺に適用することができ、その形状は問わない。例えば、上方から見た外形が四角形である通常タイプの他、棺の角を面取りした八角形タイプの棺にも適用することができる。
また、棺の用途（人用、ペット用等）や種類（寝棺、座棺等）についても特に限定されることはない。
第１〜３発明は、単独で適用してもよいし、本明細書に記載される他の発明を組み合わせることもできる。
【発明を実施するための最良の形態】
【００２０】
以下、本発明の実施形態を図面に基づいて説明する。なお、説明上、棺の前後方向は棺の長手方向を意味し、棺の左右方向は棺の短手方向を意味する。また、段ボール壁の波板層の向きは、その拡大断面図において波形の見える方向のみに限定されるものではない。
【００２１】
［第１実施形態］
第１実施形態の段ボール棺を図１および図２に示した。
段ボール棺１０は下箱１２と上蓋１３とを備えてなる。縦長の下箱１２の上に上蓋１３が載置される。上蓋１３には棺内を覗くための窓１３ｗが設けられる。
【００２２】
下箱１２および上蓋１３は、二層強化段ボールの板材（トライウォール社製：厚み約１０ｍｍ）からなるもので、それぞれ展開シートを折り曲げて形成される。下箱１２の底壁１２Ａ、側壁１２Ｂ，１２Ｂおよび妻壁１２Ｃ，１２Ｃが一枚の展開シートで形成され、上蓋１３の面取り傾斜を含む天井壁１３Ａ、側壁１３Ｂ，１３Ｂおよび妻壁１３Ｃ，１３Ｃが別の一枚の展開シートで形成される。すなわち、段ボール棺１０を構成する段ボール壁は、図２のＲ部分拡大図に示すように、二枚の強化厚紙のライナーＲｂ，Ｒｆと、これらの間の波板層ｒ１，ｒ２とからなる強化段ボールで形成されることになる。
【００２３】
下箱１２と上蓋１３の開口部には枠壁１４が設けられる。枠壁１４は、展開シートの先端部をコの字形に内側に折り返して形成されるもので、下箱１２と上蓋１３の開口部の強度を高め、上蓋１３の載置状態を安定させる役割を果たす。
【００２４】
段ボール棺１０の内側には補助板１５が設けられる。下箱１２の底壁１２Ａ，側壁１２Ｂ，１２Ｂおよび妻壁１２Ｃ、並びに上蓋１３の面取り傾斜を含む天井壁１３Ａおよび側壁１３Ｂ，１３Ｂの各段ボール壁の内側に補助板１５が貼り合わされている。
【００２５】
これらの補助板１５は、厚さ２ｍｍ程度の合板（ベニヤ板）であり、それぞれ貼り合わされる壁面とほぼ同一のサイズにカットされる。各壁面に接着剤で補助板１５が固定されている。なお、図３に示すように、段ボール棺１０の前後の段ボール壁、すなわち下箱１２の妻壁１２Ｃ，１２Ｃおよび上蓋１３の妻壁１３Ｃ，１３Ｃには補助板１５が貼られていない。
【００２６】
枠壁１４の折返し部分では、下箱１２と上蓋１３の開口部の段ボール壁と枠壁１４の段ボール壁の間に補助板１５の端部が抱え込まれるように挟持される（図４参照）。
このように補助板１５の端部を挟んで固定することで、段ボール壁に対する補助板１５の貼り合わせ状態が安定し、段ボール棺１０の耐久性を向上させることができる。
【００２７】
段ボール棺１０の製造方法については、下箱１２および上蓋１３の展開シートを作製するときに、補助板１５を段ボール壁に貼り合わせるようにするとよい。
下箱１２を例に挙げると、図５に示すように、展開シートＰは、例えばその中央に底壁１２Ａ、その左右両側に側壁１２Ｂ，１２Ｂ、その上下両側に妻壁１２Ｃ，１２Ｃを配置し、側壁１２Ｂ，１２Ｂと妻壁１２Ｃ，１２Ｃの先端側に枠壁１４を配置する。
展開シートＰを作製する場合、強化段ボールの原板に予め補助板用の合板を貼り合わせておき、各壁の境界線上に横Ｖ溝ｘ、縦Ｖ溝ｙを形成する。Ｖ溝加工は、段ボール壁の外側のライナーＲｆのみを残して他の層を回転刃等を用いて切削する。各Ｖ溝の溝角がほぼ９０゜になるようにＶ溝加工を施せば、展開シートＰがほぼ垂直に折れ曲がる。
展開シートＰを組み立てる際には、最初に枠壁を二本の並設Ｖ溝によって１８０゜折返し、次いで、底壁１２Ａに対して側壁１２Ｂおよび妻壁１２Ｃをほぼ垂直に折り曲げて各壁の接着代（接着面）を固定する。
【００２８】
このように展開シートＰの原板に予め補助板用の合板を貼り合わせてからＶ溝加工を施すことで、図６に示すように、底壁１２Ａと側壁１２Ｂ，１２Ｂにおける補助板１５の継ぎ目がＶ溝面（縦Ｖ溝ｙ）に一致して密着し、気密性の高い隔壁を形成することができる。
【００２９】
段ボール棺１０によれば、底壁１２Ａ，側壁１２Ｂ，１３Ｂ，および天井壁１３Ａの各段ボール壁に補助板１５が貼り合わされるため、これらの長手方向の段ボール壁の長さや巾が天気や湿度の影響を受けて変化することが防止される。すなわち、段ボール壁が水分を吸収して膨張しても、補助板１５がこれを抑える効果を発揮する。これにより、展開シートから段ボール棺１０を作製する際の縦横寸法の変化がほとんどなく、Ｖ溝面などの接着面をずれなく正確に貼り合わせることができる。
また、段ボール棺１０を組み立てた後も、長手方向に段ボール壁の長さや巾が変化しないめ、これらの段ボール壁の撓みを防止することもできる。
【００３０】
図７に示すように、段ボール棺１０を火葬炉Ｋで焼却する場合には、バーナＶに着火後数十秒で妻壁１２Ｃ，１３Ｃが焼けて穴が空き、その後、棺の中に吹き込まれる燃焼ガスｆ１と棺の外側に回り込む燃焼ガスｆ２とにより棺全体が焼かれる。
段ボール棺１０によれば、底壁１２Ａ，側壁１２Ｂ，１３Ｂ，および天井壁１３Ａの各段ボール壁の内側のみに補助板１５が貼り合わされるため、段ボール壁の外側は燃焼ガスｆ２に直接触れて焼かれるが、段ボール壁の内側は、補助板１５で遮られて燃焼ガスｆ１には直接当たらない。このため、段ボール壁が外側から内側に向けて時間を掛けて焼かれることになり、炉内の一時的な酸欠状態を回避し、黒煙の発生を抑えることができる。
【００３１】
また、段ボール棺１０では、妻壁１２Ｃ，１２Ｃの内側に補助板１５を貼っていないことから、火葬炉で最初に頭部側の妻壁１２Ｃが焼けるまでの時間が短くなる。また、脚部側の妻壁１２Ｃについても、底壁１２Ａ，側壁１２Ｂ，１３Ｂ，および天井壁１３Ａよりも速く燃焼させることができる。これにより、炉内に酸欠状態を生じさせない最短の時間で効率よく段ボール棺１０を焼却することが可能になる。
【００３２】
さらに、段ボール棺１０は、段ボール壁の内側に補助板１５が設けられるため、着火後直ぐに段ボール壁が燃えても、より燃えにくい補助板１５の内側には崩れ落ちない。この結果、火葬時に段ボール壁の燃え崩れが遺体に触れるのを防いで骨上げ（拾骨）の支障になるのを回避することができる。
【００３３】
次に、第２実施形態の段ボール棺を図８および図９に示した。
第２実施形態では枠壁１４の折返し部分の構成を変更した。基本的な棺の構成は前記第１実施形態と同一である。
図８に示すように、段ボール棺３０は、枠壁１４の折返し部分に二層強化段ボールの板材からなる平板片２１が挟持される。底壁１２Ａ、側壁１２Ｂ，１３Ｂおよび天井壁１３Ａに貼られた補助板１５は、平板片２１の手前の位置でカットされている。
【００３４】
第２実施形態の構成によれば、第１実施形態の効果に加え、折返し部分の平板片２１の厚みを選定することで、下箱１２と上蓋１３の開口部の厚みを自在に調節することができる。このため、図９に示すように、開口部の接触面積を広く確保して上蓋１３の載置状態を安定させることができる。
平板片２１の材質については、必ずしも強化段ボール材でなくともよく、合板や木板などの木質材料であってもよい。平板片２１を木質材料とすることで、補助板１５と同様な効果を期待することもできる。
【００３５】
第３実施形態の段ボール棺を図１０および図１１に示した。
段ボール棺３０は、段ボール壁の外側のみに補助板３１を設けたものである。段ボール壁は、二層強化段ボール（トライウォール社製：厚み約１０ｍｍ）の板材で形成される。下箱１２の底壁１２Ａ、側壁１２Ｂ，１２Ｂ、および妻壁１２Ｃ，１２Ｃと、上蓋１３の面取り傾斜を含む天井壁１３Ａ、側壁１３Ｂ，１３Ｂ、妻壁１３Ｃ，１３Ｃの各段ボール壁にほぼ隙間なく補助板３１が貼り合わされている。
【００３６】
補助板３１は間伐材の集成木板からなっており、その表面には木目調の外観が表れる。補助板３１の厚みは４〜１０ｍｍ程度である。
【００３７】
段ボール棺３０によれば、妻壁１２Ｃおよび１３Ｃを含む全ての段ボール壁に補助板３１が貼り合わされるため、段ボール壁の長さや巾の変化が棺の長手方向のみならず、短手方向にも生じない。このため、さらに棺の寸法精度の高めることができる。
【００３８】
また、火葬炉で段ボール棺３０を焼却する場合には、最初に妻壁１２Ｃ，１３Ｃが焼けた後、燃焼ガスが内側から段ボール壁を焼き、段ボール壁の外側では補助板３１が燃焼ガスの隔壁となる。これにより、段ボール壁が外側と内側から激しく燃えることが回避され、炉内の一時的な酸欠状態を解消して黒煙の発生を抑えることができる。
【００３９】
さらに、第３実施形態では、段ボール壁の外側が補助板３１で装飾されるため、段ボール棺３０の外観を高級感のある木目調に仕上げることができる。
【００４０】
［変形例］
第１〜３実施形態を説明したが、本発明の実施形態はこれらに限られず、本発明の目的を損なわない範囲で種々の変形を伴ってもよい。
例えば第１〜３実施形態では、段ボール棺の壁体として二層強化段ボール（トライウォール社製：厚み約１０ｍｍ）を用いたが、これに代えて三層強化段ボール（トライウォール社製：厚み約１５ｍｍ）を用いてもよい。
下箱１２と上蓋１３の表面（外側だけでなく内側も含む。）には化粧布や化粧シートを貼り付けることもできる。
上蓋１３は、展開シートを用いることなく、強化段ボールの板材を矩形にカットしたものを用いてもよい。
補助板１５，３１の厚さや木質材料については、火葬炉の火力や広さなどの状況に応じて自在に調整することができる。
補助板１５，３１の貼り合わせ箇所についても、前記第１〜３実施形態に限定されることなく、必要であれば、部分的に追加したり省略してもよい。
補助板１５を貼り合わせる手段については接着剤の他、両面テープ、縫合糸等を用いてもよい。
【図面の簡単な説明】
【００４１】
【図１】本発明の第１実施形態の段ボール棺を示す分解斜視図である。
【図２】同段ボール棺を示す横断面図およびＲ１部分の拡大断面である。
【図３】同段ボール棺を示す部分縦断面図およびＲ１，Ｒ２部分の拡大断面である。
【図４】図２の［IV］部分を示す拡大断面である。
【図５】同段ボール棺の下箱を作製するための展開シートを示す平面図および側面図である。
【図６】同段ボール棺の角部を示す部分拡大断面図である。
【図７】同段ボール棺の燃焼状態を示す部分縦断面図である。
【図８】本発明の第２実施形態の段ボール棺を示す横断面図およびＲ１部分の拡大断面である。
【図９】図８の［IX］部分を示す拡大断面である。
【図１０】本発明の第３実施形態の段ボール棺を示す横断面図およびＲ１部分の拡大断面である。
【図１１】同段ボール棺を示す部分縦断面図およびＲ１，Ｒ２部分の拡大断面図である。
【図１２】従来形態の段ボール棺を示す分解斜視図である。
【図１３】同段ボール棺を示す横断面図およびＲ部分の拡大断面である。
【図１４】同段ボール棺の燃焼状態を示す側面図である。
【符号の説明】
【００４２】
１０      段ボール棺
１２      下箱
１２Ａ    底壁
１２Ｂ，１２Ｂ    側壁
１２Ｃ，１２Ｃ    妻壁
１３      上蓋
１３Ａ    天井壁
１３Ｂ，１３Ｂ    側壁
１３Ｃ，１３Ｃ    妻壁
１３ｗ    窓
１４      枠壁
１５      補助板
３１      補助板
Ｋ      火葬炉
Ｔ      棺受台
Ｖ      バーナ
【図１】
2010119797.tif 000003
【図２】
2010119797.tif 000004
【図３】
2010119797.tif 000005
【図４】
2010119797.tif 000006
【図５】
2010119797.tif 000007
【図６】
2010119797.tif 000008
【図７】
2010119797.tif 000009
【図８】
2010119797.tif 000010
【図９】
2010119797.tif 000011
【図１０】
2010119797.tif 000012
【図１１】
2010119797.tif 000013
【図１２】
2010119797.tif 000014
【図１３】
2010119797.tif 000015
【図１４】
2010119797.tif 000016